(57)【要約】【課題】遮光板の加熱による調光装置の破損を防止することができるプロジェクターを提供すること。【解決手段】照明装置２０が給気装置としての冷却ファンユニット２５を有し、冷却ファンユニット２５が、給気装置として、調光装置２３ｄを通る光路と交差する交差流路ＣＰに冷却風を流通させることによって調光装置２３ｄを冷却する。これにより、遮光によって温度が上昇し易い調光装置２３ｄを、交差流路ＣＰに導かれる冷却風によって省スペースで効率的に冷却することができる。【選択図】図１
2010175589.tif 000002
【特許請求の範囲】
【請求項１】
照明用の光束を射出する光源部と、前記光源部からの光束を部分的に遮光することによって通過する照明光の光量を調整する調光装置とを有する照明装置と、
前記照明装置から射出された照明光によって照明される光変調部と、
前記光変調部を経た像光を投射する投射光学系とを備え、
前記照明装置は、前記調光装置を通る光路と交差する交差流路に冷却風を流通させることによって前記調光装置を冷却する給気装置を有する、
プロジェクター。
【請求項２】
前記給気装置は、前記交差流路を介して流通させて前記調光装置を冷却した冷却風を前記光源部に供給して前記光源部を冷却する、請求項１に記載のプロジェクター。
【請求項３】
前記調光装置は、光路に沿って延びる照明光軸を挟んで前記照明光軸に対して垂直な方向にそれぞれ延びる一対の回動軸のまわりにそれぞれ回動可能であるとともに、前記照明光軸を挟んで前記一対の回動軸に平行にそれぞれ延びる一対の板状の遮蔽部材を有する、請求項１及び請求項２のいずれか一項に記載のプロジェクター。
【請求項４】
前記照明装置は、前記光源部から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイとともに前記複数の部分光束を前記光変調装置の画像形成領域に重畳させる重畳レンズとを含んで構成され、
前記一対の板状の遮蔽部材は、前記第１レンズアレイ及び前記第２レンズアレイの間に配置される、請求項３に記載のプロジェクター。
【請求項５】
前記調光装置は、前記一対の板状の遮蔽部材を動作させる駆動機構と、前記一対の遮蔽部材と連動して前記交差流路の開放度を調整する流量調整部とを有する、請求項３及び請求項４のいずれか一項に記載のプロジェクター。
【請求項６】
前記給気装置は、前記調光装置に設けた前記交差流路を延長した位置に配置される冷却ファンを有する、請求項１から請求項５までのいずれか一項に記載のプロジェクター。
【発明の詳細な説明】
【技術分野】
【０００１】
本発明は、照明光を変調して投射するプロジェクターに関し、特に照明光の光量を調整するための調光装置を照明装置に組み込んだプロジェクターに関する。
【背景技術】
【０００２】
従来のプロジェクターとして、例えばランプ光源から射出された光束を部分的に遮蔽する開閉遮光部材からなる調光装置を備えたものが知られている（例えば、特許文献１参照）。この調光装置は、光均一化用の第１レンズアレイと第２レンズアレイとの間に配設され、回動によって配置状態が変化する一対の遮光板を適宜回動させることで、第１レンズアレイから第２レンズアレイに向う照明光を部分的に遮蔽する。
【特許文献１】特開２００７−７１９１３号公報
【発明の開示】
【発明が解決しようとする課題】
【０００３】
上記のようなプロジェクターにおいて、遮光板を積極的に冷却することは行われていないが、最近の高輝度型のプロジェクターでは、遮光板の加熱量が増加しており、特に最大の遮光時における遮光板の温度上昇が極めて大きくなることから、遮光板の周囲に配置されるギアその他の駆動部が樹脂等の材料で形成されている場合、駆動部が溶けて動作しなくなる可能性があることがわかった。
【０００４】
そこで、本発明は、遮光板の加熱による調光装置の破損等の弊害を防止することができるプロジェクターを提供することを目的とする。
【課題を解決するための手段】
【０００５】
上記課題を解決するため、本発明に係るプロジェクターは、（ａ）照明用の光束を射出する光源部と、光源部からの光束を部分的に遮光することによって通過する照明光の光量を調整する調光装置とを有する照明装置と、（ｂ）照明装置から射出された照明光によって照明される光変調部と、（ｃ）光変調部を経た像光を投射する投射光学系とを備え、（ｄ）照明装置は、調光装置を通る光路と交差する交差流路に冷却風を流通させることによって調光装置を冷却する給気装置を有する。
【０００６】
上記のプロジェクターでは、照明装置が調光装置を通る光路と交差する交差流路に冷却風を流通させることによって調光装置を冷却する給気装置を有するので、遮光によって温度が上昇し易い調光装置を、交差流路に導かれる冷却風によって省スペースで効率的に冷却することができる。
【０００７】
本発明の具体的な態様又は側面によれば、上記プロジェクターにおいて、給気装置は、交差流路を介して流通させて調光装置を冷却した冷却風を光源部に供給して光源部を冷却する。この場合、給気装置が光源部の冷却装置としての機能も具備するので、プロジェクターの小型化が容易になる。
【０００８】
また、本発明の別の態様では、調光装置が、光路に沿って延びる照明光軸を挟んで照明光軸に対して垂直な方向にそれぞれ延びる一対の回動軸のまわりにそれぞれ回動可能であるとともに、照明光軸を挟んで一対の回動軸に平行にそれぞれ延びる一対の板状の遮蔽部材を有する。この場合、一対の板状の遮蔽部材を観音開き状に開閉することで、照明光について簡易に広範囲で多段階又は連続的な光量調整が可能になる。
【０００９】
本発明のさらに別の態様では、照明装置が、光源部から射出された光束を複数の部分光束に分割する複数のレンズ要素を有する第１レンズアレイと、第１レンズアレイの複数のレンズ要素に応じた複数のレンズ要素を有する第２レンズアレイと、第２レンズアレイとともに複数の部分光束を光変調装置の画像形成領域に重畳させる重畳レンズとを含んで構成され、一対の板状の遮蔽部材が、第１レンズアレイ及び第２レンズアレイの間に配置される。この場合、第１レンズアレイで分割された後であって重ね合わされる前の光束を遮光することができ、光量調節が照明の均一性へ影響することを抑えることができる。
【００１０】
本発明のさらに別の態様では、調光装置が、一対の板状の遮蔽部材を動作させる駆動機構と、一対の遮蔽部材と連動して交差流路の開放度を調整する流量調整部とを有する。この場合、遮蔽部材による遮光量が多いときに流量を増して冷却効率を高めることができる。
【００１１】
本発明のさらに別の態様では、給気装置が、調光装置に設けた交差流路を延長した位置に配置される冷却ファンを有する。この場合、冷却ファンによって交差流路に流通させるべき冷却風を簡易に形成することができる。
【発明を実施するための最良の形態】
【００１２】
図１は、本発明の一実施形態に係るプロジェクターを概念的に説明するブロック図である。
【００１３】
このプロジェクター１０は、光学エンジンユニットとも呼ばれる本体光学装置１１と、ランプ光源等に電力を供給する電源装置１３と、装置全体の動作を制御するための回路装置１７と、装置全体を覆う外装ケース１９とを備える。なお、回路装置１７は、プリント基板上に搭載された電子部品からなり、外装ケース１９内の適所に収められるものであるが、図面では便宜上外装ケース１９外に表示している。
【００１４】
このうち、本体光学装置１１は、照明装置２０、色分離導光光学系４０、光変調部５０、クロスダイクロイックプリズム６０、及び投射光学系７０を備えて構成される。これらの照明装置２０、色分離導光光学系４０、光変調部５０、クロスダイクロイックプリズム６０、及び投射光学系７０は、遮光性を有するケース部材１１ａ中に略全体が収納されている。ケース部材１１ａは、光学部品を配置するための光路を形成するものであり、ライトガイドとも呼ばれる。
【００１５】
照明装置２０は、光源ランプユニット２１と、均一化光学系２３と、冷却ファンユニット２５とを備える。
【００１６】
光源ランプユニット２１は、光源部として、ランプ部２１ａと、凹レンズ２１ｂとを備える。このうち、ランプ部２１ａは、例えば高圧水銀ランプ等であるランプ本体２２ａと、光源光を回収して前方に射出させる凹面鏡２２ｂとを備える。凹レンズ２１ｂは、ランプ部２１ａからの光源光をシステム光軸ＳＡすなわち照明光軸に略平行な光束にする役割を有するが、例えば凹面鏡２２ｂが放物面鏡である場合には、省略することもできる。
【００１７】
均一化光学系２３は、第１及び第２レンズアレイ２３ａ，２３ｂと、調光装置２３ｄと、偏光変換部材２３ｆと、重畳レンズ２３ｈとを備える。第１及び第２レンズアレイ２３ａ，２３ｂは、それぞれマトリクス状に配置された複数の要素レンズからなる。このうち、第１レンズアレイ２３ａを構成する要素レンズによって、光源ランプユニット２１から射出された光束が複数の部分光束に分割される。また、第２レンズアレイ２３ｂを構成する要素レンズによって、第１レンズアレイ２３ａからの各部分光束は適当な発散角で射出される。調光装置２３ｄは、水平方向に延びる上下一対の板状の遮光板３２ａ，３２ｂと、これら遮光板３２ａ，３２ｂを開閉動作させる駆動機構３３とを有する。調光装置２３ｄは、駆動機構３３によって一対の遮蔽部材としての一対の遮光板３２ａ，３２ｂを水平方向に延びる回動軸のまわりに適宜回動させることで、第１レンズアレイ２３ａから第２レンズアレイ２３ｂに向う口路上の照明光を所望の程度に遮蔽することができる。偏光変換部材２３ｆは、詳細は省略するが、ＰＢＳ及びミラーを組み込んだプリズムアレイと、当該プリズムアレイに設けた射出面上にストライプ状に貼り付けられる波長板アレイとを備える。この偏光変換部材２３ｆは、レンズアレイ２３ｂから射出した光源光を例えば図１の紙面に水平な第１偏光方向の直線偏光のみに変換して次段光学系に供給する。重畳レンズ２３ｈは、偏光変換部材２３ｆを経た照明光を全体として適宜収束させることにより、光変調部５０に設けた各色の液晶ライトバルブ５１ａ，５１ｂ，５１ｃに対する重畳照明を可能にする。
【００１８】
冷却ファンユニット２５は、給気装置として、冷却ファン２５ａと、送風路２５ｂとを備える。冷却ファン２５ａとして、ここではシロッコファンが用いられているが、軸流ファンその他の各種送風装置を用いることができる。冷却ファン２５ａの吸気口２６ａは、ケース部材１１ａに形成された一対の開口１２ａ，１２ｂのうち一方の開口１２ａに対向している。両開口１２ａ，１２ｂは、遮光状態の遮光板３２ａ，３２ｂの両端位置に対応して形成されており、調光装置２３ｄの冷却時には、その冷却風は、ケース部材１１ａの外部から開口１２ｂを介してケース部材１１ａ内に導かれ、遮光板３２ａ，３２ｂに沿った交差流路を通過し、反対側の開口１２ａを介してケース部材１１ａの外部に導かれ、冷却ファン２５ａの吸気口２６ａに吸い込まれる。つまり、調光装置２３ｄの冷却時には、その遮光板３２ａ，３２ｂを冷却した後の排気が冷却ファン２５ａに送り込まれて、後述するようにランプ部２１ａのために再利用される。冷却ファン２５ａの送風口２６ｂは、送風路２５ｂを介してケース部材１１ａに形成された開口１２ｃに連通しており、ランプ部２１ａに冷却風を供給する。ランプ部２１ａを冷却した後の熱気は、開口１２ｃに対向してケース部材１１ａに形成された開口１２ｄを介してケース部材１１ａの外部に排出される。
【００１９】
なお、調光装置２３ｄは、遮光板３２ａ，３２ｂと連動する流量調整部３４を有しており、遮光板３２ａ，３２ｂの開閉状態に対応して流量調整部３４の位置を調整することで、交差流路の開放度を調整する。具体的には、遮光板３２ａ，３２ｂが光路を部分的に遮断している動作状態で、流量調整部３４を調光装置２３ｄの冷却のための冷却位置に配置し、遮光板３２ａ，３２ｂが光路を開放している退避状態で、流量調整部３４を調光装置２３ｄの冷却を防止する閉止位置に配置する。流量調整部３４が冷却位置に配置されると、流量調整部３４が開口１２ａを避けて開口１２ａを開放するので、冷却風が光路を横切るように遮光板３２ａ，３２ｂに沿った交差流路を通過して遮光板３２ａ，３２ｂを冷却する。逆に、流量調整部３４が閉止位置に配置されると、流量調整部３４が開口１２ａを封止するので、ケース部材１１ａの外部の冷却風（点線で示す矢印）が直接冷却ファン２５ａに取り込まれる。
【００２０】
図２は、照明装置２０の具体的な外観を説明する斜視図であり、ケース部材１１ａの上部の一部を取り除いた状態を示す。図３は、流量調整部３４が冷却位置にある場合の照明装置２０の側面図であり、図４は、流量調整部３４が閉止位置にある場合の照明装置２０の側面図である。
【００２１】
図２に示すように、ケース部材１１ａの開口１２ａ，１２ｂ間に、光路ＯＰを横切るような交差流路ＣＰが形成されている。この交差流路ＣＰは、動作状態の遮光板３２ａ，３２ｂに隣接して形成される。ケース部材１１ａの開口１２ａ側には、流量調整部３４として、一対の流量調整板３４ａ，３４ｂが取り付けられている。これらの流量調整板３４ａ，３４ｂは、図３及び図４に示すように、遮光板３２ａ，３２ｂ用の回動軸部３５ａ，３５ｂのまわりにそれぞれ回転可能になっており、遮光板３２ａ，３２ｂとともに回動する。図３の場合、流量調整部３４は冷却位置に配置されており、両流量調整板３４ａ，３４ｂは上下方向に重なりあった状態となる。これにより、開口１２ａがほとんど開放され、動作位置の遮光板３２ａ，３２ｂに沿った流路が形成される。図４の場合、流量調整部３４は閉止位置に配置されており、上側の流量調整板３４ａは反時計方向に４５°程度回転し、下側の流量調整板３４ｂは時計方向に４５°程度回転する。これにより、両流量調整板３４ａ，３４ｂの重なりが減って開口１２ａが閉止され、退避位置の遮光板３２ａ，３２ｂ間にあった流路が遮断される。なお、図示を省略しているが、図３と図４との間の状態では開口１２ａが部分的に開放され、遮光板３２ａ，３２ｂに沿って開口１２ａの開放度に応じた流路が形成される。つまり、遮光板３２ａ，３２ｂの遮光量に合わせて、遮光板３２ａ，３２ｂに沿った流路の通気量を増減できる。
【００２２】
図５は、調光装置２３ｄの構造を説明する斜視図であり、調光装置２３ｄを光路上流側から見た状態を示す。調光装置２３ｄは、固定部材８１と、遮光板３２ａ，３２ｂと、回動軸部３５ａ，３５ｂと、駆動機構３３とを備える。固定部材８１は、ライトガイドであるケース部材１１ａの一部を構成し、回動軸部３５ａ，３５ｂや駆動機構３３を支持する。一対の遮光板３２ａ，３２ｂは、一対の回動軸部３５ａ，３５ｂにそれぞれ支持されてシステム光軸ＳＡに垂直で水平なＡＢ方向に延びており、システム光軸ＳＡを挟んで互いに対向するとともにシステム光軸ＳＡに関して対称に配置される。また、一対の遮光板３２ａ，３２ｂは、回動軸ＡＸ１，ＡＸ２のまわりにそれぞれ回動可能になっている。駆動機構３３は、モーター８３ａと、伝達部８３ｂと、一対の駆動ギア８４ａ，８４ｂとを備える。モーター８３ａの回転は、伝達部８３ｂを介して一対の駆動ギア８４ａ，８４ｂに伝達される。この際、上側の駆動ギア８４ａと下側の駆動ギア８４ｂが同期して反対方向に回転するので、一対の駆動ギア８４ａ，８４ｂに固定された遮光板３２ａ，３２ｂも同期して回転する。ただし、各遮光板３２ａ，３２ｂは、各回動軸ＡＸ１，ＡＸ２から離れた位置に取り付けられており、モーター８３ａの正転又は逆転にともなって、互いにシステム光軸ＳＡ方向に近接して動作状態すなわち遮光状態（不図示）になったり、互いにシステム光軸ＳＡから離れて退避状態すなわち非遮光状態（図示）になったりする。
【００２３】
図１に戻って、色分離導光光学系４０は、第１及び第２ダイクロイックミラー４１ａ，４１ｂと、反射ミラー４２ａ，４２ｂ，４２ｃと、３つのフィールドレンズ４３ａ，４３ｂ，４３ｃとを備え、照明装置２０から射出された照明光を赤（Ｒ）色、緑（Ｇ）色、及び青（Ｂ）色の３色の照明光に分離するとともに、各照明光を後段の液晶ライトバルブ５１ａ，５１ｂ，５１ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。この色分離導光光学系４０において、第１ダイクロイックミラー４１ａで反射された照明光ＬＲは、反射ミラー４２ａを経て入射角調節用のフィールドレンズ４３ａに入射する。また、第１ダイクロイックミラー４１ａを透過し、第２ダイクロイックミラー４１ｂで反射された照明光ＬＧは、入射角調節用のフィールドレンズ４３ｂに入射する。さらに、第２ダイクロイックミラー４１ｂを通過した照明光ＬＢは、リレーレンズ４４ａ，４４ｂ及び反射ミラー４２ｂ，４２ｃを経て入射角調節用のフィールドレンズ４３ｃに入射する。
【００２４】
光変調部５０は、３色の照明光ＬＲ，ＬＧ，ＬＢがそれぞれ入射する３つの液晶ライトバルブ５１ａ，５１ｂ，５１ｃを備える。なお、図示を省略しているが、各液晶ライトバルブ５１ａ，５１ｂ，５１ｃは、中央に配置される液晶パネルと、これを挟むように配置される１対の入射側及び射出側偏光フィルターとを備えている。各液晶ライトバルブ５１ａ，５１ｂ，５１ｃは、入射側偏光フィルターを経て入射した照明光ＬＲ，ＬＧ，ＬＢに対してその偏光方向の空間的分布を変化させる。つまり、各液晶ライトバルブ５１ａ，５１ｂ，５１ｃにそれぞれ入射した各色光ＬＲ，ＬＧ，ＬＢは、各各液晶ライトバルブ５１ａ，５１ｂ，５１ｃに電気的信号として入力された駆動信号或いは制御信号に応じて、画素単位で偏光状態が調整され、不図示の射出側偏光フィルターの通過に伴って画素単位で強度変調される。
【００２５】
クロスダイクロイックプリズム６０は、カラー画像を合成するための光合成光学系であり、その内部には、Ｒ光反射用の第１ダイクロイック膜（具体的には誘電体多層膜）６１と、Ｂ光反射用の第２ダイクロイック膜（具体的には誘電体多層膜）６２とが、Ｘ字状に配置されている。このクロスダイクロイックプリズム６０は、液晶ライトバルブ５１ａからの赤色光ＬＲを第１ダイクロイック膜６１で反射して進行方向右側に射出させ、液晶ライトバルブ５１ｂからの緑色光ＬＧを両ダイクロイック膜６１，６２を介して直進・射出させ、液晶ライトバルブ５１ｃからの青色光ＬＢを第２ダイクロイック膜６２で反射して進行方向左側に射出させる。
【００２６】
このようにクロスダイクロイックプリズム６０で合成された像光は、投射光学系７０である投射レンズを経て、適当な拡大率でスクリーン（不図示）にカラー画像として投射される。
【００２７】
電源装置１３は、光源ランプユニット２１に設けたランプ本体２２ａを所望の輝度で点灯させるとともに、冷却ファンユニット１５，１６や回路装置１７に適当な電力を供給する。
【００２８】
冷却ファンユニット１５は、ファン、モーター等を備え、回路装置１７からの制御信号に基づいて、適当な流量で排気動作を行う。冷却ファンユニット１５は、最も加熱される光源ランプユニット２１や電源装置１３の近くに配置されており、ランプ部２１ａや電源装置１３等を冷却した後の空気を外装ケース１９の外部に直接排気する。一方、冷却ファンユニット１６は、ファン、モーター、防塵フィルター等を備え、回路装置１７からの制御信号に基づいて、外気を適当な流量で取り込む。両冷却ファンユニット１５，１６と、照明装置２０に設けた冷却ファンユニット２５とによって、外装ケース１９内に循環する気流が形成され、特に冷却ファンユニット１６によって液晶ライトバルブ５１ａ，５１ｂ，５１ｃが優先的に冷却され、また冷却ファンユニット１５によってランプ部２１ａの冷却後の空気が他の部品を加熱することを防止している。
【００２９】
回路装置１７は、ビデオ信号等の外部画像信号が入力される画像処理部９１と、画像処理部９１の出力に基づいて各液晶ライトバルブ５１ａ，５１ｂ，５１ｃを駆動するパネル駆動部９２と、画像処理部９１の出力に基づいて調光装置２３ｄを駆動する調光装置駆動部９３と、不図示の温度センサーやスイッチの検出結果に応じて冷却ファンユニット１５，１６，２５を動作させるファン駆動部９５と、これらの回路部分９１，９５等の動作を制御する主制御部９９とを備える。
【００３０】
回路装置１７において、画像処理部９１は、入力された外部画像信号に対して適宜補正を行うことや、外部画像信号に代えて或いは重畳して文字情報等を表示することができる。
【００３１】
パネル駆動部９２は、画像処理部９１から出力された画像処理後の画像信号に基づいて各液晶ライトバルブ５１ａ，５１ｂ，５１ｃの状態を調節する駆動信号を発生する。これにより、画像処理部９１から入力された画像信号に対応して、液晶ライトバルブ５１ａ，５１ｂ，５１ｃにおいて、透過率分布としての画像を形成することができる。
【００３２】
調光装置駆動部９３は、調光装置２３ｄの動作状態を制御することができ、遮光板３２ａ，３２ｂが光路を部分的に遮断している動作状態と、遮光板３２ａ，３２ｂが光路を開放している退避状態との間で連続的又は段階的な動作を行わせる。
【００３３】
ファン駆動部９５は、冷却ファンユニット１５，１６，２５をフィードバック制御等を利用して適宜動作させるためのものであり、ランプ部２１ａに設けた温度センサーの検出温度、外装ケース１９内の適所に設けた温度センサーの検出温度等に基づいて、冷却ファンユニット１５，１６，２５に設けたファンの回転数等を調整する。
【００３４】
主制御部９９は、マイクロコンピューターからなり、画像処理部９１等を制御するために適宜用意されたプログラムに基づいて動作する。以下、プロジェクター１０の調光動作について説明する。プロジェクター１０に画像信号入力端子を介してビデオ信号が入力されると、画像処理部９１は、ビデオ信号から画像における輝度ピーク値を検出して主制御部９９に出力するとともに、ビデオ信号の解像度を適当に変換して液晶ライトバルブ５１ａ，５１ｂ，５１ｃの画素数に適合させる。この際、画像処理部９１は、主制御部９９からの指示に基づいてビデオ信号中の輝度信号を調整する。主制御部９９は、画像処理部９１から得た画像の輝度ピーク値に基づいてゲイン調整量を決定し、その結果を画像処理部９１に戻す。例えば画像の輝度ピーク値がプロジェクター１０に入力しうる輝度の上限値の５０％である場合、液晶ライトバルブ５１ａ，５１ｂ，５１ｃの照明光量を５０％に減少させることで、液晶ライトバルブ５１ａ，５１ｂ，５１ｃの黒表示能力を高めて経時的なコントラストを高めることができる。このため、画像処理部９１は、主制御部９９から得たゲイン調整量に基づいて調光装置２３ｄを動作させ、液晶ライトバルブ５１ａ，５１ｂ，５１ｃに対する照明の減光を実行する。なお、画像処理部９１によって調光装置２３ｄが動作状態にあるとき、遮光板３２ａ，３２ｂが光路上に配置されて加熱されるが、遮光板３２ａ，３２ｂと連動する流量調整部３４が開口１２ａを開放する冷却位置と開口１２ａを閉止する閉止位置との間で開放度を調整しつつ適宜配置される。これにより、冷却風が、遮光板３２ａ，３２ｂの遮光量に対応した流量で、遮光板３２ａ，３２ｂに沿った交差流路ＣＰを通過して遮光板３２ａ，３２ｂを効率的に冷却する。
【００３５】
以上の説明から明らかなように、本実施形態のプロジェクター１０では、照明装置２０が給気装置としての冷却ファンユニット２５を有し、冷却ファンユニット２５が、給気装置として、調光装置２３ｄを通る光路と交差する交差流路ＣＰに冷却風を流通させることによって調光装置２３ｄを冷却する。これにより、遮光によって温度が上昇し易い調光装置２３ｄを、交差流路ＣＰに導かれる冷却風によって省スペースで効率的に冷却することができる。
【００３６】
なお、この発明は、上記の実施形態に限られるものではなく、その要旨を逸脱しない範囲において種々の態様で実施することが可能であり、例えば次のような変形も可能である。
【００３７】
すなわち、上記実施形態では、遮光板３２ａ，３２ｂを観音開きに開閉するタイプの調光装置２３ｄとしたが、例えばストライプ状の開口を有する一対のマスクをスライド移動させて複数の開口サイズを調整するタイプの調光装置２３ｄとすることもできる。
【００３８】
また、上記実施形態では、冷却ファンユニット２５にランプ部２１ａと調光装置２３ｄとの冷却を兼用させているが、ランプ部２１ａと調光装置２３ｄとの冷却を個別の給気装置で独立して行わせることもできる。
【００３９】
また、上記実施形態では、光源ランプユニット２１に用いるランプ本体２２ａとして高圧水銀ランプを用いたが、メタルハライドランプ等を用いてもよい。
【００４０】
また、上記実施形態では、光源ランプユニット２１からの光を複数の部分光束に分割するため、一対のレンズアレイ２３ａ，２３ｂを用いていたが、この発明は、このようなレンズアレイを用いないプロジェクターにも適用可能である。さらに、レンズアレイ２３ａ，２３ｂをロッドインテグレータに置き換えることもできる。
【００４１】
また、上記実施形態では、光源ランプユニット２１等からの光を特定方向の偏光とする偏光変換部材２３ｆを用いていたが、この発明は、このような偏光変換部材２３ｆを用いないプロジェクターにも適用可能である。
【００４２】
また、上記実施形態では、透過型の液晶ライトバルブ５１ａ，５１ｂ，５１ｃに本発明を適用した場合の例について説明したが、本発明は、反射型の液晶ライトバルブにも適用することが可能である。ここで、「透過型」とは、液晶ライトバルブが光を透過するタイプであることを意味しており、「反射型」とは、液晶ライトバルブが光を反射するタイプであることを意味している。
【００４３】
また、プロジェクターとしては、投射面を観察する方向から画像投射を行う前面投射型のプロジェクターと、投射面を観察する方向とは反対側から画像投射を行う背面投射型のプロジェクターとがあるが、図１等に示すプロジェクターの構成は、いずれにも適用可能である。
【００４４】
また、上記実施形態では、色分離導光光学系４０や液晶ライトバルブ５１ａ，５１ｂ，５１ｃ等を用いて各色の光変調を行っているが、これらに代えて、例えば照明装置２０によって照明されるカラーホイールと、マイクロミラーの画素によって構成されカラーホイールの透過光が照射されるデバイス（光変調部）とを組み合わせたものとを用いることによって、カラーの光変調及び合成を行うこともできる。
【図面の簡単な説明】
【００４５】
【図１】実施形態に係るプロジェクターの構造を示す図である。
【図２】照明装置の具体的な外観を説明する斜視図である。
【図３】流量調整部が冷却位置にある場合の照明装置の側面図である。
【図４】流量調整部が閉止位置にある場合の照明装置の側面図である。
【図５】調光装置の構造を説明する斜視図である。
【符号の説明】
【００４６】
１０…プロジェクター、  １１…本体光学装置、  １１ａ…ケース部材、  １２ａ，１２ｂ…開口、  １３…電源装置、  １５，１６，２５…冷却ファンユニット、  １７…回路装置、  １９…外装ケース、  ２０…照明装置、  ２１…光源ランプユニット、  ２２ａ…ランプ本体、  ２２ｂ…凹面鏡、  ２３…均一化光学系、  ２３ａ…第１レンズアレイ、  ２３ｂ…第２レンズアレイ、  ２３ｄ…調光装置、  ２３ｆ…偏光変換部材、  ２３ｈ…重畳レンズ、  ２５…冷却ファンユニット、  ２５ａ…冷却ファン、  ２５ｂ…送風路、  ２６ａ…吸気口、  ３２ａ，３２ｂ…遮光板、  ３３…駆動機構、  ３４…流量調整部、  ３４ａ，３４ｂ…流量調整板、  ３５ａ，３５ｂ…回動軸部、  ４０…色分離導光光学系、  ４１ａ，４１ｂ…ダイクロイックミラー、  ５０…光変調部、  ５１ａ，５１ｂ，５１ｃ…液晶ライトバルブ、  ６０…クロスダイクロイックプリズム、  ６１，６２…ダイクロイック膜、  ７０…投射光学系、  ８１…固定部材、  ８３ａ…モーター、  ８３ｂ…伝達部、  ８４ａ，８４ｂ…駆動ギア、  ９１…画像処理部、  ９２…パネル駆動部、  ９３…調光装置駆動部、  ９５…ファン駆動部、  ９９…主制御部、  ＣＰ…交差流路、  ＬＲ，ＬＧ，ＬＢ…色光、  ＯＰ…光路、  ＳＡ…システム光軸
【図１】
2010175589.tif 000003
【図２】
2010175589.tif 000004
【図３】
2010175589.tif 000005
【図４】
2010175589.tif 000006
【図５】
2010175589.tif 000007